(57)【特許請求の範囲】
【請求項１】
情報通信ネットワークに存在する監視対象からネットワーク管理のための情報を収集し、上記情報通信ネットワークに対するマネジメント機能を有する監視制御装置と、前記マネジメント機能に対する操作制御を遠隔にて行うための遠隔監視制御装置とを備えるネットワーク管理システムにおいて、
前記監視制御装置に設けられ、前記監視対象への操作を要求する操作要求を前記遠隔監視制御装置から受信した場合に、
（１）この操作要求を送出した遠隔監視制御装置との競合の虞が無い時
（２）自装置のオペレータからの許可を受けた時
前記（１）または（２）の時に限り要求元の遠隔監視制御装置に対して許可応答を送出する第１の操作権取得譲渡制御手段と、
前記遠隔監視制御装置に設けられ、前記監視対象への操作を要求する操作要求を前記監視制御装置から受信した場合に、
（３）この操作要求を送出した監視制御装置との競合の虞が無い時
（４）自装置のオペレータからの許可を受けた時
前記（３）または（４）の時に限り要求元の監視制御装置に対して許可応答を送出する第２の操作権取得譲渡制御手段と、
前記監視制御装置に設けられ、前記第２の操作権取得譲渡制御手段からの前記許可応答を受信した場合に限り、前記監視対象に対する監視制御を実行する第１の監視制御手段と、
前記遠隔監視制御装置に設けられ、前記第１の操作権取得譲渡制御手段からの前記許可応答を受信した場合に限り、前記監視対象に対する監視制御を実行する第２の監視制御手段と、
前記遠隔監視制御装置に設けられ、自装置と、自装置のオペレータが指定した前記監視制御装置との間の通信リンクを、少なくとも前記自装置のオペレータの終了指示があるまでは確立した状態に保つ通信制御手段とを具備することを特徴とするネットワーク管理システム。
【請求項２】
前記通信制御手段は、自装置のオペレータが指定した前記監視制御装置に対して通信リンク接続要求を繰り返し送出し、この送出された要求に対する応答を受信することで前記通信リンクを確立した状態に保つことを特徴とする請求項１に記載のネットワーク管理システム。
【請求項３】
情報通信ネットワークに存在する監視対象からネットワーク管理のための情報を収集し、上記情報通信ネットワークに対するマネジメント機能を有する監視制御装置と、前記マネジメント機能に対する操作制御を遠隔にて行うための遠隔監視制御装置とを備えるネットワーク管理システムで使用される前記遠隔監視制御装置において、
前記監視対象への操作を要求する操作要求を前記監視制御装置から受信した場合に、
（３）この操作要求を送出した監視制御装置との競合の虞が無い時
（４）自装置のオペレータからの許可を受けた時
前記（３）または（４）の時に限り要求元の監視制御装置に対して許可応答を送出する第２の操作権取得譲渡制御手段と、
前記監視対象への操作を要求する操作要求を前記監視制御装置に対して送出する手段と、
この手段による操作要求の宛先の監視制御装置から当該操作要求に対する許可応答を受信した場合に限り、操作を要求した監視対象に対する操作を実行する第２の監視制御手段と、
自装置と、自装置のオペレータが指定した前記監視制御装置との間の通信リンクを、少なくとも前記自装置のオペレータの終了指示があるまでは確立した状態に保つ通信制御手段とを具備することを特徴とする遠隔監視制御装置。
【請求項４】
前記通信制御手段は、自装置のオペレータが指定した前記監視制御装置に対して通信リンク接続要求を繰り返し送出し、この送出された要求に対する応答を受信することで前記通信リンクを確立した状態に保つことを特徴とする請求項３に記載の遠隔監視制御装置。
【請求項５】
表示器と、
現時点にて操作の対象としている監視対象の上位に位置する監視制御装置の識別情報を、前記操作の種別と対応づけて前記表示器に表示する表示制御手段をさらに具備することを特徴とする請求項４に記載の遠隔監視制御装置。
【発明の詳細な説明】
【０００１】
【発明の属する技術分野】
本発明は、例えばＳＤＨ(Synchronous Digital Hierarchy )規格またはＳＯＮＥＴ（Synchronous Optical Network ）に準拠する情報通信ネットワークに対する監視制御を行うためのネットワーク管理システムと、このネットワーク管理システムで使用される局舎内監視装置、監視制御装置、および遠隔監視制御装置に関する。
【０００２】
【従来の技術】
近年の通信需要の増大に伴い、情報通信ネットワークの規模は拡大の一途を辿っている。最近では、例えば国ごとの既存網を超高速の国際間光ファイバケーブルによりリング状に接続し、新たな大規模ネットワークを形成するようになってきている。
【０００３】
一般に通信ネットワークにおいては、ネットワークの安全な運用、セキュリティの確保、運用コストの削減などのためにネットワーク管理システム（Network Management System ：ＮＭＳ）を設ける必要がある。上記のような国際間ネットワークでは、例えば国ごとの独自網をそれぞれの国で管理し、そのうえで各国の監視制御装置を専用の回線（ネットワークマネジメント専用回線）で接続し、共同してネットワーク全体の管理を行うような形態がとられる。なお、管理対象となる光伝送端局装置などのノードは、被監視装置と呼ばれる。
【０００４】
ところで、従来のネットワーク管理システムにあっては、ネットワークレベルの監視制御を担当する監視制御装置（以下ＮＭＥと称する）により、被監視装置およびネットワークに対する監視制御を行なっている。ただし、１台のＮＭＥが監視制御の対象とできるのは、その性能面を考慮して２つのリングネットワーク（最大１６台の被監視装置）までとなっている。
【０００５】
従来における監視制御の形態の階層を図２５に示す。この図は、複数の局舎ＳＴ１、ＳＴ２…に監視制御装置（ＮＭＥ）ＷＳ１、ＷＳ２…がそれぞれ設置され、これらの監視制御装置（ＮＭＥ）ＷＳ１、ＷＳ２…がネットワーク監視制御システム（ＮＭＳ）をなし、このＮＭＳにより機器レベルおよびネットワークレベルの監視制御を行っていたことを示す。ここで、各局舎の被監視装置Ｎ１、Ｎ２…は、複数のＮＥ（Network Element ）から構成されている。
【０００６】
図２６に、監視制御装置ＮＭＥと被監視装置Ｎの接続例を示す。この図では、それぞれ被監視装置Ｎ１とＮ５、Ｎ２とＮ６…を備える４つの局舎がリング状に接続され、１台のＮＭＥで２リングのネットワークを監視制御する場合を示す。すなわち、監視制御装置ＷＳ１、ＷＳ２のいずれからも、両方のリング（全被監視装置Ｎ１〜Ｎ８）に対する監視制御を行えるようになっている。
【０００７】
しかしながら、上記構成には次に示すような不具合があった。すなわち、近年の爆発的な通信需要の増大に伴い、システムを構成するリングの数が例えば８リング、１６リング、３２リング、…というように増えていくのは明らかで、これに伴い被監視装置の台数も増えることが予想される。したがって、システム全体の監視制御を行なうのに必要となるＮＭＥの台数も、４台、８台、１６台、…というように増えてしまう。
【０００８】
このため、大容量化するこれからのネットワークシステムにおいては、ＮＭＥを操作するオペレータの人員の不足や、ＮＭＥを設置するスペースが増大してしまうなどの懸念があった。
【０００９】
またネットワーク内の被監視装置の設置台数が増えるにつれ、ＮＭＥにかかる処理負担が飛躍的に増大する。これが限度を越えてしまうと、情報伝達に時間がかかるなどの要因から、ネットワークにとって致命的な不具合の発生する虞がでてくる。このため、何らかの早急な対策が要望されている。
【００１０】
他方で、この種のネットワークシステムでは、複数のＮＭＥがシステム内に存在しており、かつその機能を遠隔操作にて制御する場合がある。遠隔操作を行うための装置は例えばＸプロトコルのもとで動作し、Ｘ端末と称される。ここでは、当該端末を遠隔監視制御装置と称する。
【００１１】
ところで、従来では、競合を避けるために、遠隔監視制御装置は同時に一つの監視制御装置としか情報通信を行うことが出来ない。このことは、監視制御装置の機能（マネージャ機能）を使用する際に、当該機能を起動させることは監視制御装置または遠隔監視制御装置のいずれか一方しか行えないことを意味する。よって、例えばＸ端末側でマネージャ機能を使用する場合、監視制御装置側の機能を終了させる必要があった。
【００１２】
従来では、このような必要から、監視制御装置のオペレータと遠隔監視制御装置のオペレータとが事前に連絡をとり、競合を避けるための操作を行なっていた。このためその操作が煩雑であり、人的負荷が大きく、また処理にかかる時間が長引くなどの不具合があった。
【００１３】
また同時通信を行えないという理由から、被監視装置（伝送装置）から通知されたメッセージの内容は、監視制御装置または遠隔監視制御装置いずれか一方にしか（リアルタイムに）表示されなかった。このため、情報取得に時間がかかってしまい、オペレータが適切な操作を行うタイミングを逃すなどの虞があり、運用上不便であった。
【００１４】
【発明が解決しようとする課題】
以上述べたように従来のネットワーク管理システムにおいては、管理対象とするネットワークの巨大化に伴って設置すべき監視制御装置の数を増やすことを余儀なくされていた。このためオペレータの人員不足、設置スペースが足りなくなることなどの懸念があるのみならず、ネットワークにとって致命的な不具合の発生する虞があった。
【００１５】
また、遠隔監視制御装置を使用する場合、監視制御装置との（監視制御装置自身のマネージャ機能に対する）競合を避けることが必要であり、このための操作が煩雑で、またオペレータがリアルタイムでの情報取得を行えない虞があった。
【００１７】
本発明の目的は、遠隔監視制御装置が複数の監視制御装置に対して即時的にアクセスでき、リアルタイムの情報取得を行えるようにし、これによりオペレータが必要な操作を適切に行えるようにしたネットワーク管理システムと、監視制御装置および遠隔監視制御装置を提供することにある。
【００２１】
【課題を解決するための手段】
本発明は、情報通信ネットワークに存在する監視対象からネットワーク管理のための情報を収集し、上記情報通信ネットワークに対するマネジメント機能を有する監視制御装置と、前記マネジメント機能に対する操作制御を遠隔にて行うための遠隔監視制御装置とを備えるネットワーク管理システムにあって、
前記監視制御装置に、前記監視対象への操作を要求する操作要求を前記遠隔監視制御装置から受信した場合に、
（１）この操作要求を送出した遠隔監視制御装置との競合の虞が無い時
（２）自装置のオペレータからの許可を受けた時
前記（１）または（２）の時に限り要求元の遠隔監視制御装置に対して許可応答を送出する第１の操作権取得譲渡制御手段を備え、
前記遠隔監視制御装置に、前記監視対象への操作を要求する操作要求を前記監視制御装置から受信した場合に、
（３）この操作要求を送出した監視制御装置との競合の虞が無い時
（４）自装置のオペレータからの許可を受けた時
前記（３）または（４）の時に限り要求元の監視制御装置に対して許可応答を送出する第２の操作権取得譲渡制御手段を備え、
前記監視制御装置に、前記第２の操作権取得譲渡制御手段からの前記許可応答を受信した場合、または、当該許可応答を受信せず前記操作要求の送出時点から所定時間が経過した場合に前記監視対象に対する監視制御を実行する第１の監視制御手段を備え、前記遠隔監視制御装置に、前記第１の操作権取得譲渡制御手段からの前記許可応答を受信した場合、または、当該許可応答を受信せず前記操作要求の送出時点から所定時間が経過した場合に前記監視対象に対する監視制御を実行する第２の監視制御手段を備えたことを特徴とする。
【００２２】
このようにすることで、監視対象に対する遠隔監視制御装置および監視制御装置の両者からのアクセスが、互いに排他的に行なわれるようになる。このため、競合の虞なく、遠隔監視制御装置および監視制御装置が必要な情報をリアルタイムに取得できるようになる。したがって、両装置のオペレータはそれぞれ遅滞の無い適切な操作を行えるようになる。しかも、許可応答が受信されない状態で所定時間が経過した場合には、操作要求元の監視制御装置（または遠隔監視制御装置）は監視対象に対する監視制御を実行できるようになる。すなわち応答がない場合には強制的に操作権が移行される。これにより、相手局のオペレータが不在か、または相手方の監視制御装置が故障している場合でも、ネットワークの監視制御機能を継続して運用することが可能となる。
【００２３】
【発明の実施の形態】
以下、図面を参照して本発明の実施の形態を詳細に説明する。
（第１の実施の形態）
図１は、本発明の第１の実施の形態に係わる情報通信ネットワークの構成を示す図である。すなわち本実施形態では、ｍ個の伝送装置Ｎ１〜Ｎｍが高速回線ＦＬを介してリング状に接続されたリングネットワークを例に採る。高速回線ＦＬを伝送される情報のうち、任意のチャネルの情報が伝送装置Ｎ１〜Ｎｍにてドロップされ、多重化装置などの通信装置（図示せず）に送られる。
【００２４】
ここで、各伝送装置Ｎ１〜Ｎｍは、それぞれ局舎内監視装置Ｅ１〜Ｅｍに接続されている。これらの局舎内監視装置Ｅ１〜Ｅｍは、例えば汎用のワークステーションとして実現されるもので、局舎内に閉じた監視制御を行うものである。
【００２５】
各局舎内監視装置Ｅ１〜Ｅｍは、それぞれＬＡＮ（Local Area Network）（符号付さず）を介して監視制御装置ＷＳ１とルータＲ１、監視制御装置ＷＳ２とルータＲ２、…、監視制御装置ＷＳｍとルータＲｍに接続されている。監視制御装置ＷＳ１〜ＷＳｍは、例えば汎用のワークステーションなどとして実現されるもので、ネットワーク単位での監視制御を行うものである。ここで、ルータＲ１〜Ｒｍは、専用回線ＭＬを介して互いに接続されている。この専用回線を介して各監視制御装置ＷＳ１〜ＷＳｍ間での情報通信が実現される。
【００２６】
そして、伝送装置Ｎ１と局舎内監視装置Ｅ１と監視制御装置ＷＳ１とルータＲ１、…、伝送装置Ｎｍと局舎内監視装置Ｅｍと監視制御装置ＷＳｍとルータＲｍがそれぞれ組となって局舎ＳＴ１、ＳＴ２、…、ＳＴｍに設置されている。
【００２７】
なお、上記各装置の数を１対１に対応させる必要はなく、ニーズに応じて任意のネットワーク形態を取ることができる。
【００２８】
図２に、局舎内監視装置Ｅ１〜Ｅｍの構成を示す。すなわち、局舎内監視装置Ｅ１〜Ｅｍは、マウスやキーボードなどを備える操作部１と、ディスプレイなどの表示部２と、通信の際のインタフェース機能を実現するインタフェース部（Ｉ／Ｆ）３と、監視制御に係わるプログラムなどを記憶した記憶部４と、これら操作部１、表示部２、インタフェース部（Ｉ／Ｆ）３を記憶部４に記憶された制御プログラムに基づき制御する主制御部５とを備えている。
【００２９】
記憶部４は、上記制御プログラムなどの既知の内容に加え、その所定の記憶領域に局舎内データベース４ａを記憶している。この局舎内データベース４ａは、自装置が局舎内に閉じた監視制御を行った際に収集される、警報情報や各種設定情報などをデータベース化して記憶しておくためのものである。
【００３０】
一方、主制御部５は、例えばマイクロコンピュータなどとして実現されるもので、おのおの接続された伝送装置およびＬＡＮとの情報通信に係わる機能などの既知の制御手段に加えて、監視制御手段５ａと、通信制御手段５ｂとを備えている。
【００３１】
監視制御手段５ａは、自己の属する局舎単位での管理情報の取得および処理に係わる機能を担うもので、すなわち局舎内に閉じた監視制御を行うものである。この監視制御手段５ａは、取得した管理情報を局舎内データベース４ａに記憶、蓄積する。通信制御手段５ｂは、監視制御装置ＷＳ１〜ＷＳｍからの要求に応じて、局舎内データベース４ａに蓄積された監視情報を要求元の監視制御装置に対して送出するための制御を行う。
【００３２】
図３に、監視制御装置ＷＳ１〜ＷＳｍの構成を示す。すなわち、監視制御装置ＷＳ１〜ＷＳｍは、マウスやキーボードなどを備える操作部６と、ディスプレイなどの表示部７と、通信の際のインタフェース機能を実現するインタフェース部（Ｉ／Ｆ）８と、監視制御に係わるプログラムなどを記憶した記憶部９と、これら操作部６、表示部７、インタフェース部（Ｉ／Ｆ）８を記憶部９に記憶された制御プログラムに基づき制御する主制御部１０とを備えている。
【００３３】
記憶部９は、上記制御プログラムなどの既知の内容に加え、その所定の記憶領域にネットワークデータベース９ａを記憶している。
一方、制御部１０は、例えばマイクロコンピュータなどとして実現されるもので、伝送装置Ｎ１〜Ｎｍとの情報通信に係わる機能や、管理情報の取得および処理に係わる機能などの既知の制御手段に加えて、監視制御手段１０ａと、通信制御手段１０ｂとを備えている。
【００３４】
監視制御手段１０ａは、ネットワーク単位での管理情報の取得および処理に係わる機能を担う。すなわち監視制御手段１０ａは、各被監視装置に対する管理情報の取得制御を直接には行わず、局舎内監視装置Ｅ１〜Ｅｍの局舎内データベース４ａに蓄積された管理情報の読み出しを行うにとどまる。この読み出した管理情報をもとに、ネットワーク単位での監視制御を実行するものである。
通信制御手段１０ｂは、各局舎内監視装置Ｅ１〜Ｅｍに対してデータ取得要求を送出し、ネットワーク管理のための情報の収集に係わる制御を実行する。
【００３５】
次に、図４〜図８を参照して、上記構成における動作を説明する。
図４は、本実施の形態における監視制御の形態の階層を示す図である。この図は、局舎ＳＴ１、ＳＴ２を例に取り、局舎ＳＴ１、ＳＴ２にそれぞれ設置された局舎内監視装置Ｅ１、Ｅ２によりまず機器レベル（局舎単位）での監視制御を被監視装置Ｎ１、Ｎ２に対して行い、また局舎内監視装置Ｅ１、Ｅ２と監視制御装置ＷＳ１、ＷＳ２の相互の連携によりネットワークレベルの監視制御を行うことを示している。すなわちＮＭＥは局舎内監視装置を経由してネットワーク全体の監視制御を行なう。
【００３６】
図５は被監視装置（ＮＥ）、局内監視装置、ＮＭＥの間の要求／応答メッセージの関係を示す図である。図５において、局舎内監視装置から被監視装置に対する要求メッセージは、局舎内のＬＡＮを介して直接被監視装置へ送信され、その応答は局舎内監視装置に返信される（図中実線）。一方、ＮＭＥから被監視装置に対する要求メッセージは、一旦局舎内監視装置が受け、これを局舎内監視装置が被監視装置へ転送する。そして、被監視装置からＮＭＥへの応答メッセージも同様に、局舎内監視装置を経由してＮＭＥに送信される（図中二重線）。なお、図中点線はＮＭＥと局舎内監視装置との間でのメッセージの授受を示す。
【００３７】
次に、図６〜図８のフローチャートを参照して上記構成における制御手順を説明する。図６は、局舎内監視装置から被監視装置（ＮＥ）に対して機器レベルの監視制御を行なう際の手順を示すフローチャートである。なお、ここでは局舎内監視装置Ｅ１が局舎ＳＴ１内の被監視装置に対して監視制御を行う場合を想定するが、他の局舎においても同様の手順が踏まれる。
【００３８】
図６において、局舎内監視装置Ｅ１の操作部１を介してオペレータによる操作が実施されると（ステップＳ６１）、局舎内監視装置Ｅ１は、目的の被監視装置に対する要求メッセージを作成し、ＬＡＮを経由してこの要求メッセージを送信する（ステップＳ６２）。この要求メッセージには、被監視装置の稼動状態の通知を要求するメッセージなどが含まれる。
【００３９】
一方、被監視装置は、上記送信された要求メッセージを受信すると（ステップＳ６３）、このメッセージに対する処理を実施し（ステップＳ６４）、応答メッセージを作成するとともに、この応答メッセージをＬＡＮ経由で局舎内監視装置Ｅ１に送信する（ステップＳ６５）。
【００４０】
そして、この送出された応答メッセージを局舎内監視装置Ｅ１が受信し（ステップＳ６６）、この応答メッセージに記述されている情報の読み取り結果が局舎内監視装置Ｅ１の表示部２に表示される（ステップＳ６７）。
【００４１】
次に、図７を参照してＮＭＥがネットワークレベルの監視制御（例えば各被監視装置に対するデータ検索など：このデータは局舎内監視装置の局舎内データベース４ａに記憶されている）を行う際の手順を説明する。なお、ここでは監視制御装置（ＮＭＥ）ＷＳ１が局舎内監視装置Ｅ１を介して局舎ＳＴ１内の被監視装置に対して監視制御を行う場合を想定するが、他の局舎においても同様の手順が踏まれる。
【００４２】
図７において、監視制御装置ＷＳ１のオペレータが操作部６を介して操作を実施すると（ステップＳ７１）、監視制御装置ＷＳ１は、目的の局舎内監視装置（ここでは局舎内監視装置Ｅ１）に対する要求メッセージを作成し、ＬＡＮを経由してこの要求メッセージを送信する（ステップＳ７２）。この要求メッセージには、被監視装置のデータ検索を要求するメッセージなどが含まれる。なお、他の局舎の局舎内監視装置に向けメッセージを送出する際には、このメッセージはＬＡＮからルータＲ１、専用回線ＭＬを介して目的の局舎に送信される。
【００４３】
一方、局舎内監視装置Ｅ１は、上記送信された要求メッセージを受信すると（ステップＳ７３）、この要求メッセージが自装置（すなわち局舎内監視装置Ｅ１）宛てのメッセージであるか、被監視装置宛てのメッセージであるかの判断を行う（ステップＳ７４）。
【００４４】
ここで、被監視装置へのメッセージであると判断された場合（Ｙ）には、当該被監視装置に向けこの要求メッセージを転送する（ステップＳ７５）。この被監視装置は、この要求メッセージを受信すると（ステップＳ７６）、このメッセージに対する処理を実施し（ステップＳ７７）、応答メッセージを作成するとともに、この応答メッセージをＬＡＮ経由で局舎内監視装置Ｅ１に送信する（ステップＳ７８）。
【００４５】
そして、この送出された応答メッセージを局舎内監視装置Ｅ１が受信すると（ステップＳ７９）、この局舎内監視装置Ｅ１はこの応答メッセージがＮＭＥ宛てであるか否かの判断を行う（ステップＳ７１０）。ここで、ＮＭＥ宛てである旨が判定されれば（Ｙ）、この応答メッセージを当該ＮＭＥに向け送信する（ステップＳ７１１）。ＮＭＥは、この応答メッセージを受信し（ステップＳ７１２）、この応答メッセージに記述されている情報の読み取り結果を表示部７に表示する（ステップＳ７１３）。
【００４６】
一方、ステップＳ７１０で応答メッセージがＮＭＥ宛てでない旨（したがって自装置宛て）が判定されれば（Ｎ）、局舎内監視装置Ｅ１はこの応答メッセージに記述されている情報の読み取り結果を表示部２に表示する（ステップＳ７１６）。
【００４７】
また、ステップＳ７４にて局舎内監視装置Ｅ１宛てである旨が判定されれば（Ｎ）、この要求メッセージを受信した局舎内監視装置Ｅ１は、このメッセージに対する処理を実施し（ステップＳ７１４）、応答メッセージを作成するとともに、この応答メッセージを要求元の監視制御装置ＷＳ１に送信する（ステップＳ７１５）。ここでも、他の局舎宛てのメッセージを送出する際には、ルータＲ１から専用回線ＭＬを介した通信が行われる。
その後、監視制御装置ＷＳ１がこの応答メッセージをステップＳ７１２で受信し、以後同様の処理が行われる。
【００４８】
次に、被監視装置の各種情報を監視制御装置に対して通知する際の手順を図８のフローチャートを参照して説明する。図８において、まず被監視装置において自装置に係わる警報情報や性能情報などのデータの収集が行われる（ステップＳＳ８１）。次いで被監視装置は、これらの情報をもとに送信メッセージを作成し、この送信メッセージを局舎内監視装置に向け送信する（ステップＳ８２）。
【００４９】
一方、局舎内監視装置はこれらのメッセージを受信したのち（ステップＳ８３）、このメッセージに記述された各種情報を局舎内データベース４ａに書き込み、蓄積する（ステップＳ８４）。また、局舎内監視装置の表示器２にこれらの情報を表示する（ステップＳ８５）とともに、受信メッセージをＮＭＥに対して転送（送信）する（ステップＳ８６）。
【００５０】
ＮＭＥでは、メッセージを受信したのち（ステップＳ８７）、その表示器７に情報の表示のみを行うに留める（ステップＳ８８）。すなわち、受信した情報をネットワークデータベースに蓄積することは、ここでは行わない。
【００５１】
このように本実施の形態では、各局舎ＳＴ１〜ＳＴｍに局舎内監視装置Ｎ１〜Ｎｍをそれぞれ設ける。そして、局舎内監視装置により、機器レベル（局舎単位）での監視制御を行う。そして、監視制御装置ＷＳ１〜ＷＳｍと局舎内監視装置Ｎ１〜Ｎｍとの間でのメッセージの授受を行うことで、ネットワークレベル（ネットワーク全体）での監視制御を実現するようにしている。
【００５２】
このようにすることで、局舎内監視装置は機器レベルの監視制御機能を、監視制御装置はネットワークレベルの監視制御機能を少なくとも備えれば良くなり、機能負荷の分散がなされる。したがって、例えば局舎内監視装置は各局舎内に１台、監視制御装置はネットワークシステムに１台というように、監視制御機能を妨げること無く、ネットワーク監視を行うために必要な各装置の数の削減を図れる。
【００５３】
すなわち図１の構成では、一例として各局舎に監視制御装置が備えられている場合を示したが、これらの監視制御装置ＷＳ１〜ＷＳｍを一つにすることも、本実施の形態では可能である。
これにより、ネットワークレベルでの監視制御を行う監視制御装置への負荷を、ネットワーク監視に係わる機能を制限することなしに軽減することが可能となり、これにより監視制御装置の数を増やすことなくネットワークの大規模化に対処可能となる。
【００５４】
（第１の実施の形態の他の例）
ここで、図９および図１０を参照して、監視制御装置の処理負担を軽減するための他の例を説明する。ここまでの説明では、局舎内監視装置Ｅ１〜Ｅｍを設け、監視制御装置との機能分散により処理負担を下げるやり方を説明した。ここでは、局舎内監視装置から監視制御装置に対して送られる応答メッセージの構成を変えることで、送信データ量や通信トラヒックを削減し、これにより処理負担を減らすやり方を説明する。
【００５５】
図９は、この他の例における局舎内監視装置Ｅ１〜Ｅｍから監視制御装置ＷＳ１〜ＷＳｍへのメッセージの送信の際の制御手順を示すフローチャートである。ここでは、局舎内監視装置Ｅ１と監視制御装置ＷＳ１とを主体とする。図９において、ステップＳ９１で局舎内監視装置Ｅ１は被監視装置（ＮＥ）からの送信メッセージを受信する。これを契機として局舎内監視装置Ｅ１は、例えば５秒のタイマを設定する（ステップＳ９２）。次いで局舎内監視装置Ｅ１は、他の送信メッセージの受信を待つ状態に入り（ステップＳ９３）、タイムアウトまでにＮＥからのｎ個（ｎは任意の数であっても良いし、あるいは所定の個数を予め設定しておいても良い）の送信メッセージを受信する（ステップＳ９４）。
【００５６】
その後、局舎内監視装置Ｅ１は受信したメッセージに含まれるデータを一つにまとめる処理を行う（ステップＳ９５）。このステップでは、図１０に示すように、送られた各送信メッセージのヘッダ（Ｈｅａｄｅｒ：Ｈ）を解釈し、これを一つのヘッダに再構築する。そして、複数のデータ（Ｄａｔａ：Ｄ）を例えば到着順に並べ、上記再構築されたヘッダを付加して一つのデータグラムとする。
【００５７】
そして、局舎内監視装置Ｅ１は、このひとまとまりのデータを監視制御装置（ＮＭＥ）ＷＳ１に向け送信する（ステップＳ９６）。このようにすることで、メッセージ通知に係わるデータ量や、通信トラヒックを削減することができ、ひいては監視制御装置の処理負担を減らすことが可能となる。また、タイマを設定するようにしているので、監視制御装置は、被監視装置において発生したイベントを遅滞なく検知できるようになる。
【００５８】
なお、データをひとまとめにする機能は、局舎内監視装置Ｅ１〜Ｅｍにおける通信制御手段５ｂに持たせれば良いし、受信したデータから個々の被監視装置に対するデータを解釈する機能は、監視制御装置ＷＳ１〜ＷＳｍにおける通信制御手段１０ｂに持たせれば良い。
【００５９】
（第２の実施の形態）
次に、図面を参照して本発明の第２の実施の形態を説明する。なお以下の図において上記と共通する部分には同一の符号を付して示し、ここでは異なる部分についてのみ説明する。
【００６０】
図１１は、本発明の第２の実施の形態に係わる情報通信ネットワークの構成を示す図である。すなわち、本実施形態では複数（ｍ個）のリングネットワークと、これらのリングネットワークに対してそれぞれ監視制御を行う監視制御装置ＷＳ１〜ＷＳｍと、さらに監視制御装置ＷＳ１〜ＷＳｍの上位に位置する遠隔監視制御装置ＲＭとを備える情報通信システムを考える。各リングネットワーク（符号付さず）は、それぞれ複数の伝送装置Ｎ１１〜Ｎ１ｐ、Ｎ２１〜Ｎ２ｇ、…、Ｎｍ１〜Ｎｍｒを備える（ｐ、ｇ、ｒは任意の数）。
【００６１】
ここで、監視制御装置ＷＳ１〜ＷＳｍは、例えばＬＡＮを介して遠隔監視制御装置ＲＭに接続される。なお、図示しないが、監視制御装置ＷＳ１〜ＷＳｍと遠隔監視制御装置ＲＭとは、例えばインターネットなどの広域網（ＷＡＮ：Wide Area Network ）や公衆通信網など、他の任意の通信手段による接続が可能である。
【００６２】
遠隔監視制御装置ＲＭは、例えば汎用のワークステーションとして実現され、監視制御装置ＷＳ１〜ＷＳｍのマネージャ機能を遠隔地において操作するための装置であり、監視制御装置との間での通信に際してＸプロトコルを専ら使用するためにＸ端末とも称される。
【００６３】
図１２に、遠隔監視制御装置ＲＭの構成を示す。すなわち遠隔監視制御装置ＲＭは、マウスやキーボードなどを備える操作部１１と、ディスプレイなどの表示部１２と、通信の際のインタフェース機能を実現するインタフェース部（Ｉ／Ｆ）１３と、遠隔からの監視制御に係わるプログラムなどを記憶した記憶部１４と、これら操作部１１、表示部１２、インタフェース部（Ｉ／Ｆ）１３を記憶部１４に記憶された制御プログラムに基づき制御する中央処理部１５とを備えている。
【００６４】
中央処理部１５は、例えばマイクロコンピュータなどとして実現されるもので、ＬＡＮ（あるいはＷＡＮなど）を介した監視制御装置との情報通信に係わる機能などの既知の制御手段に加えて、表示制御手段１５ａと、通信制御手段１５ｂと、操作権取得譲渡制御手段１５ｃを備えている。
【００６５】
表示制御手段１５ａは、収集したネットワーク監視に係わる各種データを表示部１２に表示する際の制御を担うものである。その新たな機能は、次に示すごとくである。すなわち、図２２に示すように、接続可能な監視制御装置を区別し、その監視制御装置の各々に対して接続要求を出すか、または終了要求を出すかを指定するためのオブジェクト（アイコン）を表示する機能と、図２３に示すように、現在接続中である監視制御装置を示す機能と、図２４に示すように、現在の処理相手である監視制御装置を、その処理を行っている機能名と共に表示する機能とである。なお、図２２〜図２４に示す画面の詳細は、後述する。
【００６６】
通信制御手段１５ｂは、監視制御装置ＷＳ１〜ＷＳｍおよび伝送装置Ｎ１１〜Ｎ１ｐ、Ｎ２１〜Ｎ２ｇ、…、Ｎｍ１〜Ｎｍｒとの間での情報通信に係わる機能を担うものである。その新たな機能は、次のごとくである。すなわち通信制御手段１５ｂは、オペレータにより接続を指定された監視制御装置の各々に対して、接続要求を順次定期的に送出する。また、これに対して応答があった場合には、応答元の監視制御装置との間に通信リンクを設定するための制御を行う。
【００６７】
操作権取得譲渡制御手段１５ｃは、監視制御装置ＷＳ１〜ＷＳｍとの間での伝送装置Ｎ１１〜Ｎ１ｐ、Ｎ２１〜Ｎ２ｇ、…、Ｎｍ１〜Ｎｍｒに対する操作権の取得または譲渡に係わる制御を担うものである。すなわち操作権取得譲渡制御手段１５ｃは、伝送装置Ｎ１１〜Ｎ１ｐ、Ｎ２１〜Ｎ２ｇ、…、Ｎｍ１〜Ｎｍｒに対する操作権の取得要求を、対応する監視制御装置ＷＳ１〜ＷＳｍ（例えば伝送装置Ｎ１１〜Ｎ１ｐに対応するのは監視制御装置ＷＳ１）に向け（オペレータの操作に応じて）送出する。そして、相手方からの応答メッセージに応じて操作権を取得し、操作権の取得がかなった場合に限り、目的の伝送装置に対する監視制御を行えるようにする。
【００６８】
図１３に、監視制御装置ＷＳ１〜ＷＳｍの構成を示す。すなわち監視制御装置ＷＳ１〜ＷＳｍは、マウスやキーボードなどを備える操作部１６と、ディスプレイなどの表示部１７と、通信の際のインタフェース機能を実現するインタフェース部（Ｉ／Ｆ）１８と、遠隔からの監視制御に係わるプログラムなどを記憶した記憶部１９と、これら操作部１６、表示部１７、インタフェース部（Ｉ／Ｆ）１８を記憶部１９に記憶された制御プログラムに基づき制御する処理部２０とを備えている。
【００６９】
処理部２０は、例えばマイクロコンピュータなどとして実現されるもので、ＬＡＮ（あるいはＷＡＮなど）を介した遠隔監視制御装置ＲＭとの情報通信に係わる機能などの既知の制御手段に加えて、表示制御手段２０ａと、通信制御手段２０ｂと、操作権取得譲渡制御手段２０ｃとを備えている。
【００７０】
表示制御手段２０ａは、収集したネットワーク監視に係わる各種データを表示部１７に表示する際の制御を担うものである。通信制御手段２０ｂは、遠隔監視制御装置ＲＭおよび伝送装置Ｎ１１〜Ｎ１ｐ、Ｎ２１〜Ｎ２ｇ、…、Ｎｍ１〜Ｎｍｒとの間での情報通信に係わる機能を担うものである。
【００７１】
操作権取得譲渡制御手段２０ｃは、遠隔監視制御装置ＲＭとの間での伝送装置Ｎ１１〜Ｎ１ｐ、Ｎ２１〜Ｎ２ｇ、…、Ｎｍ１〜Ｎｍｒに対する操作権の取得または譲渡に係わる制御を担うものである。すなわち操作権取得譲渡制御手段２０ｃは、伝送装置Ｎ１１〜Ｎ１ｐ、Ｎ２１〜Ｎ２ｇ、…、Ｎｍ１〜Ｎｍｒに対する操作権の取得要求を、遠隔監視制御装置ＲＭに向け（オペレータの操作に応じて）送出する。そして、相手方からの応答メッセージに応じて操作権を取得し、操作権の取得がかなった場合に限り、目的の伝送装置に対する監視制御を行えるようにする。
【００７２】
次に、上記構成における動作を説明する。図１４は遠隔監視制御装置ＲＭと監視制御装置ＷＳ１、監視制御装置ＷＳ１と伝送装置Ｎ１１〜Ｎ１ｐとの間での（他の監視制御装置、伝送装置においても同様）のデータの流れを示す図である。図１４において、例えば伝送装置Ｎ１１からのメッセージは監視制御装置ＷＳ１に通知され、また監視制御装置ＷＳ１はそのメッセージを遠隔監視制御装置ＲＭに対して通知する。そして、遠隔監視制御装置ＲＭにおいて受信されたデータが監視情報として表示器１２において表示される。
【００７３】
図１５は、遠隔監視制御装置ＲＭ、監視制御装置ＷＳ１、伝送装置Ｎ１１〜Ｎ１ｐ（他の監視制御装置、伝送装置においても同様）相互間でなされる処理を示す図である。遠隔監視制御装置ＲＭまたは監視制御装置ＷＳ１のいずれからも伝送装置（例えばＮ１１）に対する制御（例えば管理情報の送出要求）を行うことができるが、その際の競合を避けるため、遠隔監視制御装置ＲＭとマネージャＷＳ１との間で後述のシーケンス処理を行うことで排他制御を行なうようにする。このことが、本実施の形態を特徴づけるものである。このシーケンス処理により操作権を取得した装置（遠隔監視制御装置ＲＭまたは監視制御装置ＷＳ１）が、伝送装置に対する制御を行なうことができる。
【００７４】
次に、遠隔監視制御装置ＲＭと監視制御装置ＷＳ１〜ＷＳｍとの間で行われる各種のシーケンス処理を、図１６〜２１の各シーケンス図を参照して説明する。
図１６は、本実施の形態における遠隔監視制御装置ＲＷと監視制御装置ＷＳ１〜ＷＳｍ（ここではＷＳ１〜ＷＳ３を例に採る）との接続シーケンスを示す図である。図１６において、遠隔監視制御装置ＲＭを取り扱うオペレータが監視制御装置ＷＳ１に対する指定操作を行ったとする。すると、遠隔監視制御装置ＲＭは監視制御装置ＷＳ１に対し接続要求を送出する。この接続要求を受けた監視制御装置ＲＭは、この接続要求に書込まれた要求元情報から相手を確認したのち、接続応答を返送する。他の監視制御装置ＷＳ２、ＷＳ３に対する指定操作がなされた場合にも、同様の処理が行われる。
【００７５】
このような処理を、システム内の複数の監視制御装置と繰り返すことにより（タイムシェアリング処理、あるいはオンラインリアルタイム処理）、遠隔監視制御装置ＲＭは同時に複数の監視制御装置ＷＳ１〜ＷＳｍと接続できるようになり、複数のネットワークを監視制御することができるようになる。
【００７６】
図１７は、正常時における遠隔監視制御装置ＲＭと監視制御装置ＷＳ１〜ＷＳｍとの間での操作権の移行を示すシーケンス図である。いま仮に、伝送装置（例えばＮ１１）に対する操作権は監視制御装置ＷＳ１が持っているものとする。遠隔監視制御装置ＲＭが操作権を取得したい場合、この状態からまず監視制御装置ＷＳ１に対して操作権取得要求を出す。これを受けた監視制御装置ＷＳ１は、表示部１７に遠隔監視制御装置ＲＭから操作権取得要求が到来した旨を示すメッセージを表示する。これを受けて監視制御装置ＷＳ１のオペレータがＯＫ（操作権譲渡）の意思を示す操作を行うと、監視制御装置ＷＳ１から遠隔監視制御装置ＲＭに対して操作権取得許可応答が返送される。これにより遠隔監視制御装置ＲＭに操作権が移行し、こののち、遠隔監視制御装置ＲＭから伝送装置Ｎ１１に対する監視制御が行われる。
【００７７】
図１８は、異常時における遠隔監視制御装置ＲＭと監視制御装置ＷＳ１〜ＷＳｍとの間での操作権の移行を示すシーケンス図である。図１７の仮定において、遠隔監視制御装置ＲＭからの操作権取得要求に対して、監視制御装置ＷＳ１側にて操作権譲渡不許可の旨の操作が行われた場合、監視制御装置ＷＳ１から遠隔監視制御装置ＲＭに対して操作権取得非許可応答が返送される。これを受けて、遠隔監視制御装置ＲＭの表示部１２に“監視制御装置から許可されませんでした”などのメッセージが表示される。この場合、遠隔監視制御装置ＲＭから伝送装置Ｎ１１に対する監視制御を行うことはできない。
【００７８】
図１９は、遠隔監視制御装置ＲＭと監視制御装置ＷＳ１とが接続中に、監視制御装置ＷＳ１からの要求により処理を終了する場合の正常時のシーケンスを示す図である。図１９において、監視制御装置ＷＳ１は遠隔監視制御装置ＲＭに対してまず処理終了要求を送出する。これを受けた遠隔監視制御装置ＲＭは、監視制御装置ＷＳ１から終了要求が到来した旨を示すメッセージを表示部１２に表示する。これに応じてオペレータがＯＫ（許可）を示す操作を行なうと、処理終了許可応答が監視制御装置ＷＳ１に対して返送されるとともに、遠隔監視制御装置ＲＭ側にて処理終了処理が実行される。監視制御装置ＷＳ１は、処理終了許可応答を受けて処理終了処理を実行する。
【００７９】
図２０は、遠隔監視制御装置ＲＭと監視制御装置ＷＳ１とが接続中に、監視制御装置ＷＳ１からの要求により処理を終了する場合の異常時のシーケンスを示す図である。図２０において、監視制御装置ＷＳ１は遠隔監視制御装置ＲＭに対して処理終了要求を送出する。これを受けた遠隔監視制御装置ＲＭは、監視制御装置ＷＳ１から終了要求が到来した旨を示すメッセージを表示部１２に表示する。これに応じてオペレータが非許可を示す操作を行なうと、処理終了非許可応答が監視制御装置ＷＳ１に対して返送される。これを受けて監視制御装置ＷＳ１は、処理終了処理を実行せず、処理を引き続き継続する。
【００８０】
図２１は、操作権を移行する際に、監視制御装置ＷＳ１が故障しているか、または監視制御装置ＷＳ１のオペレータが不在の場合のシーケンスを示す図である。図２１において、遠隔監視制御装置ＲＭから監視制御装置ＷＳ１に対して操作権取得要求が送出されたとする。ここで、遠隔監視制御装置ＲＭは、この要求を送出する際に所定時間のタイマを設定しておく。
【００８１】
監視制御装置ＷＳ１が故障しているか、または監視制御装置ＷＳ１のオペレータが不在の場合、要するに操作権取得要求に対する応答が返送されない場合に、タイマがタイムアウトとなる。そうすると、遠隔監視制御装置ＲＭは応答がない旨のメッセージを表示部１２に表示し、操作権を強制的に移行する。
【００８２】
このように、応答がない場合に強制的に操作権を移行することで、相手局のオペレータが不在か、または相手方の監視制御装置が故障している場合でも、ネットワークの監視制御機能を継続して運用することが可能となる。
【００８３】
ここで、図２２〜図２４に、上記各処理が行われる際の、遠隔監視制御装置ＲＭの表示部１２における表示内容を示す。図２２は、遠隔監視制御装置ＲＭと監視制御装置（ＷＳ１〜ＷＳ３）とが未接続の場合の、表示部１２の表示例を示す図である（起動画面）。図２２の画面中、オペレータが接続を希望する監視制御装置を指定し、接続ボタンをクリックすることで、指定した監視制御装置との接続処理が実行される。接続が完了すると、図２３に示すように、各監視制御装置ごとに接続中である旨を示す表示を行なう。接続ができなかった場合は、その旨を示すメッセージを画面のフッタ（下部）に表示する。
【００８４】
図２４は、遠隔監視制御装置ＲＭの機能画面の一例であり、例えば遠隔監視制御装置ＲＭから伝送装置に対し制御をかける画面、または伝送装置から受信したメッセージを表示するための画面である。この画面を特徴づけるのは、ヘッダ（上部）における機能名（実行中の機能を示す）の横に表示された、現在の処理相手である監視制御装置の名称である。この監視制御装置の名称を表示することにより、遠隔監視制御装置ＲＭのオペレータにとって、どの監視制御装置の画面を表示しているのか、どのネットワークの情報を表示しているのかを認識することが容易になる。
【００８５】
このように本実施の形態では、操作権取得譲渡制御手段１５ｃ、２０ｃをそれぞれ遠隔監視制御装置ＲＭ、監視制御装置ＷＳ１〜ＷＳｍに設ける。そして、互いに送出した操作権取得要求に対する許可応答を受信した場合にのみ、所望の伝送装置（被監視装置）に対する監視制御を行えるようにしている。また、通信制御手段１５ａ、２０ａをそれぞれ遠隔監視制御装置ＲＭ、監視制御装置ＷＳ１〜ＷＳｍに設け、互いに接続要求を定期的に送出することで常時通信リンクを設定するようにしている。
【００８６】
このようにすることで、遠隔監視制御装置ＲＭと監視制御装置ＷＳ１〜ＷＳｍとの間での排他制御が実現され、競合の虞なく、またリアルタイムでの情報取得を互いの装置間で行えるようになる。従って、各装置のオペレータが必要な操作を適切なタイミングで行えるようになる。
【００８７】
なお、本発明は上記実施の形態に限定されるものではない。
【００８８】
また上記第１の実施の形態では、局舎内監視装置Ｅ１〜Ｅｍから送信された各種データを、監視制御装置ＷＳ１〜ＷＳｍのネットワークデータベース９ａに蓄積することは行わないとしたが、監視制御装置の能力如何によってはこれを蓄積するようにすることも勿論可能である。
【００８９】
また上記第２の実施の形態の各シーケンスでは、操作権が監視制御装置側にある場合からのシーケンスを説明したが、操作権が遠隔監視制御装置ＲＭ側にある場合からのシーケンスも同様である。
【００９０】
その他、ネットワーク構成など、本発明の要旨を逸脱しない範囲で種々の変形実施を行うことができる。
【００９２】
【発明の効果】
本発明によれば、遠隔監視制御装置が複数の監視制御装置に対して即時的にアクセスできるようになる。よってリアルタイムの情報取得を行えるようになり、遠隔監視制御装置、監視制御装置の各オペレータが必要な操作を適切に行えるようになる。
【図面の簡単な説明】
【図１】  本発明の第１の実施の形態に係わる情報通信ネットワークの構成を示す図。
【図２】  図１における局舎内監視装置Ｅ１〜Ｅｍのブロック構成図。
【図３】  図１における監視制御装置ＷＳ１〜ＷＳｍのブロック構成図。
【図４】  本発明の第１の実施の形態における監視制御の形態の階層を示す図。
【図５】  本発明の第１の実施の形態における被監視装置（ＮＥ）、局内監視装置、ＮＭＥの間の要求／応答メッセージの関係を示す図。
【図６】  局舎内監視装置から被監視装置（ＮＥ）に対して機器レベルの監視制御を行なう際の手順を示すフローチャート。
【図７】  ＮＭＥがネットワークレベルの監視制御を行う際の手順を示すフローチャート。
【図８】  被監視装置の各種情報を監視制御装置に対して通知する際の手順を示すフローチャート。
【図９】  本発明の第１の実施の形態の他の例において、局舎監視装置における処理手順を示すフローチャート。
【図１０】  本発明の第１の実施の形態の他の例において、送信メッセージの再構成例を示す図。
【図１１】  本発明の第２の実施の形態に係わる情報通信ネットワークの構成を示す図。
【図１２】  図１１における遠隔監視制御装置ＲＭのブロック構成図。
【図１３】  図１１における監視制御装置ＷＳ１〜ＷＳｍのブロック構成図。
【図１４】  本発明の第２の実施の形態における遠隔監視制御装置と監視制御装置、監視制御装置と伝送装置との間でのデータの流れを示す図。
【図１５】  本発明の第２の実施の形態における遠隔監視制御装置、監視制御装置、伝送装置相互間でなされる処理を示す図。
【図１６】  本発明の第２の実施の形態における遠隔監視制御装置ＲＭと監視制御装置ＷＳ１〜ＷＳ３との接続シーケンスを示す図。
【図１７】  本発明の第２の実施の形態において、正常時（許可時）の遠隔監視制御装置ＲＭと監視制御装置ＷＳ１〜ＷＳｍとの間での操作権の移行を示すシーケンス図。
【図１８】  本発明の第２の実施の形態において、異常時（不許可時）における遠隔監視制御装置ＲＭと監視制御装置ＷＳ１〜ＷＳｍとの間での操作権の移行を示すシーケンス図。
【図１９】  本発明の第２の実施の形態において、遠隔監視制御装置ＲＭと監視制御装置ＷＳ１とが接続中に、監視制御装置ＷＳ１からの要求により処理を終了する場合の正常時のシーケンス図。
【図２０】  本発明の第２の実施の形態において、遠隔監視制御装置ＲＭと監視制御装置ＷＳ１とが接続中に、監視制御装置ＷＳ１からの要求により処理を終了する場合の異常時のシーケンス図。
【図２１】  本発明の第２の実施の形態において、操作権を移行する際に、監視制御装置ＷＳ１が故障しているか、または監視制御装置ＷＳ１のオペレータが不在の場合のシーケンスを示す図。
【図２２】  本発明の第２の実施の形態において、遠隔監視制御装置ＲＭと監視制御装置（ＷＳ１〜ＷＳ３）とが未接続の場合の、表示部１２の表示例を示す図。
【図２３】  本発明の第２の実施の形態において、遠隔監視制御装置ＲＭと監視制御装置（ＷＳ１〜ＷＳ３）とが接続中の場合の、表示部１２の表示例を示す図。
【図２４】  本発明の第２の実施の形態において、遠隔監視制御装置ＲＭの機能画面の一例を示す図。
【図２５】  従来における監視制御の形態の階層を示す図。
【図２６】  監視制御装置ＮＭＥと被監視装置Ｎの接続の従来の例を示す図。
【符号の説明】
Ｎ１〜Ｎｍ…伝送装置
ＦＬ…高速回線
Ｒ１〜Ｒｍ…ルータ
ＭＬ…専用回線
ＳＴ１〜ＳＴｍ…局舎
Ｅ１〜Ｅｍ…局舎内監視装置
１…操作部
２…表示部
３…インタフェース部（Ｉ／Ｆ）
４…記憶部
４ａ…局舎内データベース
５…主制御部
５ａ…監視制御手段
５ｂ…通信制御手段
ＷＳ１〜ＷＳｍ…監視制御装置
６…操作部
７…表示部
８…インタフェース部（Ｉ／Ｆ）
９…記憶部
９ａ…ネットワークデータベース
１０…制御部
１０ａ…監視制御手段
１０ｂ…通信制御手段
Ｎ１１〜Ｎ１ｐ、Ｎ２１〜Ｎ２ｇ、Ｎｍ１〜Ｎｍｒ…伝送装置
ＲＭ…遠隔監視制御装置
１１…操作部
１２…表示部
１３…インタフェース部（Ｉ／Ｆ）
１４…記憶部
１５…中央処理部
１５ａ…監視制御手段
１６ｂ…通信制御手段
１６…操作部
１７…表示部
１８…インタフェース部（Ｉ／Ｆ）
１９…記憶部
２０…処理部
２０ａ…表示制御手段
２０ｂ…通信制御手段
【図１】
0003779477.tif 000002
【図２】
0003779477.tif 000003
【図３】
0003779477.tif 000004
【図４】
0003779477.tif 000005
【図５】
0003779477.tif 000006
【図６】
0003779477.tif 000007
【図７】
0003779477.tif 000008
【図８】
0003779477.tif 000009
【図９】
0003779477.tif 000010
【図１０】
0003779477.tif 000011
【図１１】
0003779477.tif 000012
【図１２】
0003779477.tif 000013
【図１３】
0003779477.tif 000014
【図１４】
0003779477.tif 000015
【図１５】
0003779477.tif 000016
【図１６】
0003779477.tif 000017
【図１７】
0003779477.tif 000018
【図１８】
0003779477.tif 000019
【図１９】
0003779477.tif 000020
【図２０】
0003779477.tif 000021
【図２１】
0003779477.tif 000022
【図２２】
0003779477.tif 000023
【図２３】
0003779477.tif 000024
【図２４】
0003779477.tif 000025
【図２５】
0003779477.tif 000026
【図２６】
0003779477.tif 000027